(57)【要約】【課題】  主制御手段にハードウエアリセットをかけても、ランプの点灯／消灯状態を保持することができる投写型映像表示装置を提供する。【解決手段】  主制御用マイコン１のハードウエアリセット実行前におけるランプ４の点灯／消灯状態を記憶するためのＥＥＰＲＯＭ９と、主制御用マイコン１のハードウエアリセット実行時における出力ポートＡ，Ｂの状態を所定の状態に保持するプルアップ抵抗６とを備え、主制御用マイコン１は、ハードウエアリセットからの復帰時にＥＥＰＲＯＭ９に記憶されたランプ点灯／消灯状態に基づき出力ポートＡ，Ｂを制御する一方、ランプバラスト制御用マイコン２は主制御用マイコン１の出力ポートＡが主制御用マイコン１のハードウエアリセットから出力ポート制御可となる時間以上の所定時間以上にわたって前記所定の状態のときにランプ４を点灯状態に制御するようにした。【選択図】        図１
2007248711.tif 000002
【特許請求の範囲】
【請求項１】
装置全体を制御する主制御手段と、映像を投写するための光源となるランプへの昇圧回路からの給電を制御して当該ランプを駆動するランプ駆動手段と、このランプ駆動手段を制御して前記ランプの点灯／消灯を制御するランプ駆動用制御手段とを備え、前記ランプ駆動用制御手段と昇圧回路は前記主制御手段の出力ポートの状態によって制御され、前記主制御手段は前記出力ポートを所定の状態に設定して前記ランプを点灯するようにした投写型映像表示装置であって、
前記主制御手段のハードウエアリセット実行前における前記ランプの点灯／消灯状態を記憶するための不揮発性メモリと、前記主制御手段のハードウエアリセット実行時における前記出力ポートの状態を前記所定の状態に保持する保持手段とを備え、前記主制御手段は、ハードウエアリセットからの復帰時に前記不揮発性メモリに記憶されたランプ点灯／消灯状態に基づき前記出力ポートを制御する一方、前記ランプ駆動用制御手段は前記主制御手段の出力ポートが前記主制御手段のハードウエアリセットから出力ポート制御可となる時間以上の所定時間以上にわたって前記所定の状態のときに前記ランプを点灯状態に制御することを特徴とする投写型映像表示装置。
【請求項２】
前記保持手段は、前記出力ポートと所定電圧の電源との間に介在して前記出力ポートをプルアップするプルアップ抵抗から成ることを特徴とする請求項１記載の投写型映像表示装置。
【請求項３】
前記所定時間として、前記主制御手段の出力ポートが前記所定の状態に設定されてから前記昇圧回路が完全に駆動するのに要する時間を設定したことを特徴とする請求項１又は請求項２記載の投写型映像表示装置。
【発明の詳細な説明】
【技術分野】
【０００１】
本願発明は、液晶プロジェクタ等の投写型映像表示装置に係わり、特にそのリセット機能に関するものである。
【背景技術】
【０００２】
液晶プロジェクタ等の投写型映像表示装置に限らず、マイコン（マイクロコンピュータ）やＣＰＵ(Central Processing Unit)を用いた機器やシステムでは、マイコンやＣＰＵが暴走した場合にマイコンやＣＰＵにリセットをかける手段として、ソフトウエア（プログラム）レベルでの初期化を行い、ハードウエアレベルの状態（例えば出力ポートの状態等）は保持できるソフトウエアリセットと、ハードウエアレベルでの初期化，すなわち全ての初期化を行って、電源を切って入れ直したような状態に戻るハードウエアリセットがある（例えば、特許文献１参照）。
【０００３】
プロジェクタにおいても、主制御用マイコンのプログラムが暴走した場合に、当該マイコンに対してリセットをかける手段がある。この場合は、ソフトウエアリセットであり、ランプの制御は継続して行えた。但し、あくまでソフトウエアリセットであり、ノイズ等でマイコンがハードウエア的に暴走した場合は、リセットをかけて正常に戻せる手段はなかった。また、ハードウエアリセットを行うと、継続したランプ制御ができなくなり、ランプが消灯してしまう。
【特許文献１】特開２００５−８５２５８号公報（G08B 13/12）
【発明の開示】
【発明が解決しようとする課題】
【０００４】
上述したように、プロジェクタの主制御用マイコンが暴走した場合は、ランプ点灯時、ランプの点灯状態を保持する必要があるため、ハードウエアリセットは行えず、ソフトウエアリセットをかけるしかなかった。従って、ハードウエア的に暴走した場合にはランプの点灯／消灯状態を保持した状態に正常に戻す手段がなかった。
【０００５】
そこで、本願発明はこのような課題を解決するためになされたものであり、主制御手段にハードウエアリセットをかけても、ランプの点灯／消灯状態を保持することができる投写型映像表示装置を提供することを目的とするものである。
【課題を解決するための手段】
【０００６】
上記のような目的を達成するために、本願の請求項１に係る発明は、装置全体を制御する主制御手段と、映像を投写するための光源となるランプへの昇圧回路からの給電を制御して当該ランプを駆動するランプ駆動手段と、このランプ駆動手段を制御して前記ランプの点灯／消灯を制御するランプ駆動用制御手段とを備え、前記ランプ駆動用制御手段と昇圧回路は前記主制御手段の出力ポートの状態によって制御され、前記主制御手段は前記出力ポートを所定の状態に設定して前記ランプを点灯するようにした投写型映像表示装置であって、前記主制御手段のハードウエアリセット実行前における前記ランプの点灯／消灯状態を記憶するための不揮発性メモリと、前記主制御手段のハードウエアリセット実行時における前記出力ポートの状態を前記所定の状態に保持する保持手段とを備え、前記主制御手段は、ハードウエアリセットからの復帰時に前記不揮発性メモリに記憶されたランプ点灯／消灯状態に基づき前記出力ポートを制御する一方、前記ランプ駆動用制御手段は前記主制御手段の出力ポートが前記主制御手段のハードウエアリセットから出力ポート制御可となる時間以上の所定時間以上にわたって前記所定の状態のときに前記ランプを点灯状態に制御することを特徴とするものである。
【０００７】
請求項２に係る発明は、前記保持手段が、前記出力ポートと所定電圧の電源との間に介在して前記出力ポートをプルアップするプルアップ抵抗から成ることを特徴とするものである。
【０００８】
請求項３に係る発明は、前記所定時間として、前記主制御手段の出力ポートが前記所定の状態に設定されてから前記昇圧回路が完全に駆動するのに要する時間を設定したことを特徴とするものである。
【発明の効果】
【０００９】
本願の請求項１記載の発明によれば、ランプ点灯時にハードウエアリセットをかけても保持手段によって出力ポートが所定の状態に保持されるので、ランプ点灯状態を保持することができる。また、ランプ消灯時にハードウエアリセットをかけると最初は保持手段によって出力ポートが所定の状態になるが、主制御手段がハードウエアリセットからの復帰時に不揮発性メモリに記憶されたハードウエアリセット実行前のランプ点灯／消灯状態（この場合ランプ消灯状態）に基づき出力ポートを制御する一方、ランプ駆動用制御手段は主制御手段の出力ポートが前記主制御手段のハードウエアリセットから出力ポート制御可となる時間以上の所定時間以上にわたって前記所定の状態でなければランプを点灯状態には制御しないため、ランプ消灯状態は保持される。従って、主制御手段にハードウエアリセットをかけても、ランプの点灯／消灯状態を保持することができる。
【００１０】
請求項２記載の発明によれば、前記保持手段がプルアップ抵抗から成るので、簡単な構成で、上述した効果を実現することができる。
【００１１】
請求項３記載の発明によれば、前記所定時間として、主制御手段の出力ポートが前記所定の状態に設定されてから昇圧回路が完全に駆動するのに要する時間を設定したので、ハードウエアリセット時にも、ランプの点灯／消灯を確実に行うことができる。
【発明を実施するための最良の形態】
【００１２】
以下、本願発明の実施形態を図面を参照して詳細に説明する。
【００１３】
図１は、本願発明の投写型映像表示装置の一実施形態に係る液晶プロジェクタの要部構成を示すブロック図であり、ここでは、本願発明の実施形態に係る構成のみを示している。
【００１４】
図１では、液晶プロジェクタの主制御用マイコン（主制御手段）１と、ランプバラスト制御用マイコン（ランプ駆動用制御手段）２と、ランプバラスト（ランプ駆動手段）３と、映像を投写するための光源となるランプ４と、昇圧回路５を示している。
【００１５】
主制御用マイコン１は、液晶プロジェクタ全体を制御するものであり、ここではランプバラスト制御用マイコン２及び昇圧回路５との通信を行う。ランプバラスト制御用マイコン２は、ランプバラスト３を制御し、ランプバラスト３を介してランプ４を点灯させたり消灯させたりする。
【００１６】
主制御用マイコン１とランプバラスト制御用マイコン２の通信ラインは、回路として、主制御用マイコン１のＩＯ(Input Output)ポートの出力ポートＡとランプバラスト制御用マイコン２のＩＯポートの入力ポートに結線しており、プルアップ抵抗６を介して５Ｖ電源に接続されている。また、主制御用マイコン１のＩＯポートの別系統の出力ポートＢは昇圧回路５内と接続しており、同じくプルアップ抵抗７を介して５Ｖ電源に接続されている。
【００１７】
ランプ４を点灯する際には、主制御用マイコン１の出力ポートＢをＨＩＧＨレベルにすることにより、昇圧回路５を駆動する。昇圧回路５が駆動すると、ランプバラスト制御用マイコン２とランプバラスト３に電源を供給する。そして、主制御用マイコン１の出力ポートＡをＨＩＧＨレベルにすると、ランプ４を点灯することができる。
【００１８】
また、ランプ４を消灯する際は、主制御用マイコン１の出力ポートＡをＬＯＷレベルにすると、ランプ４を消灯することができる。その後、主制御用マイコン１の出力ポートＢをＬＯＷレベルにすることにより、昇圧回路５を停止する。昇圧回路５が停止すると、ランプバラスト制御用マイコン２とランプバラスト３への電源の供給が停止する。
【００１９】
主制御用マイコン１が、ランプ点灯時のノイズ等でハードウエア的に暴走し、内部のウオッチドッグタイマ等でハードウエアリセットがかかった場合、主制御用マイコン１の出力ポートＡはハイインピーダンスの状態となり、プルアップされているのでＨＩＧＨレベルとなる。主制御用マイコン１の出力ポートＢも同様にＨＩＧＨレベルとなる。主制御用マイコン１の内部が安定すると、プログラムが実行され、初めてＩＯポートの制御が可能となる。
【００２０】
主制御用マイコン１は、ランプ４の点灯／消灯状態を記憶する不揮発性メモリとして、ＥＥＰＲＯＭ（Electrically Erasable Programmable Read Only Memory）９を有し、ランプ４の点灯／消灯状態を記憶している。
【００２１】
ランプ４が点灯状態にある場合に主制御用マイコン１にハードウエアリセットがかかった場合、その出力ポートＡと出力ポートＢはＨＩＧＨレベルとなり、ランプ４の点灯状態は保持される。また、主制御用マイコン１の内部が安定すると、プログラムを実行する。ＥＥＰＲＯＭ９にはハードウエアリセットがかかる直前のランプ４の点灯／消灯状態（この場合点灯状態）の情報が記憶されているので、これに基づき出力ポートＡ，出力ポートＢの制御を行い、ＨＩＧＨレベル（点灯状態）のままにする。
【００２２】
一方、ランプ４が消灯状態にある場合に主制御用マイコン１にハードウエアリセットがかかった場合も、出力ポートＡと出力ポートＢはＨＩＧＨレベルとなり、点灯状態になろうとするが、昇圧回路５は、完全に駆動するのに、ある一定時間（約６００ｍｓ）必要とする。これに対して、主制御用マイコン１の内部が安定する時間（約３ｍｓ)の方が早いので、主制御用マイコン１がプログラムを実行し、ＥＥＰＲＯＭ９に記憶されたハードウエアリセットがかかる直前のランプの点灯／消灯状態（この場合消灯状態）の情報に基づき、出力ポートＡ，出力ポートＢの制御を行って、ＬＯＷレベル（消灯状態）にする。
【００２３】
図２に示すフローチャートに基づき具体的に説明する。同図（ａ）は主制御用マイコン１のフローチャート、同図（ｂ）はランプバラスト制御用マイコン２のフローチャートを示している。
【００２４】
図２（ａ）に示すように、主制御用マイコン１は、出力ポートＡ，ＢがＨＩＧＨレベルか否かをチェックして、ＨＩＧＨレベルであればランプ点灯中を示す情報をＥＥＰＲＯＭ９に格納する（ステップＳ１０１のＹ→ステップＳ１０２）。また、ＨＩＧＨレベルでなければ，すなわちＬＯＷレベルであれば、ランプ消灯中を示す情報をＥＥＰＲＯＭ９に格納する（ステップＳ１０１のＮ→ステップＳ１０３）。
【００２５】
そして、ハードウエアリセットを実行する（ステップＳ１０４）。ハードウエアリセットが実行されると、出力ポートＡ，Ｂはハイインピーダンス，すなわちプルアップ抵抗６，７により出力ポートＡ，ＢはＨＩＧＨレベルになる（ステップＳ１０５）。
【００２６】
主制御用マイコン１の動作が安定し、制御可能状態になると（ステップＳ１０６）、ＥＥＰＲＯＭ９からランプ点灯／消灯状態を示す情報を取得する（ステップＳ１０７）。この情報に基づき、ランプ点灯状態か否かをチェックして、点灯状態であれば、出力ポートＡ，ＢをＨＩＧＨレベルにし（ステップＳ１０８のＹ→ステップＳ１０９）、点灯状態でない，すなわち消灯状態であれば、出力ポートＡ，ＢをＬＯＷレベルにする（ステップＳ１０８のＮ→ステップＳ１１０）。
【００２７】
一方、図２（ｂ）に示すように、ランプバラスト制御用マイコン２は、主制御用マイコン１の出力ポートＡが６００ｍｓ以上ＨＩＧＨレベルか否かをチェックしており、６００ｍｓ以上ＨＩＧＨレベルであればランプ４を点灯し（ステップＳ２０１のＹ→ステップＳ２０２）、６００ｍｓ以上ＨＩＧＨレベルでなければランプ４を消灯する（ステップＳ２０１のＮ→ステップＳ２０３）。
【００２８】
ここで、図２（ａ）の破線内の処理（ステップＳ１０５〜Ｓ１１０）に要する時間，すなわち主制御用マイコン１がハードウエアリセットから出力ポート制御可となるまでの時間は、主制御用マイコン１の出力ポートＡ，ＢがＨＩＧＨレベルに設定されてから昇圧回路５が完全に駆動するのに要する時間である上記６００ｍｓよりも確実に少ない数十ｍｓ〜数百ｍｓで終了する。従って、ランプ点灯時にハードウエアリセットがかかった場合にランプ点灯状態が保持されるのは勿論、ランプ消灯時にハードウエアリセットがかかった場合にもランプ消灯状態は保持される。
【００２９】
従って、液晶プロジェクタの主制御用マイコン１がノイズ等によって暴走した状態で、ハードウエアリセットをかけた場合も、ランプ４の点灯／消灯状態を保持しながら、主制御用マイコン１を正常な状態に戻すことができる。
【００３０】
また、図２（ｂ）のステップＳ２０１の判定時間として、主制御用マイコン１の出力ポートＡ，ＢがＨＩＧＨレベルに設定されてから昇圧回路５が完全に駆動するのに要する時間である６００ｍｓを設定したので、ハードウエアリセット時にも、ランプ４の点灯／消灯を確実に行うことができる。
【００３１】
また、主制御用マイコン１の出力ポートＡ，Ｂをハードウエアリセット時にプルアップ抵抗６，７を用いてＨＩＧＨレベルになるように構成したので、簡単な構成で、上述した効果を実現することができる。
【００３２】
なお、上記実施形態では、投写型映像表示装置として液晶パネルを用いた液晶プロジェクタを示したが、他の映像光生成系を備える投写型映像表示装置においても本願発明を適用することができる。すなわち、前面投写型の他、背面投写型映像表示装置においても本願発明を適用することができる。また、ＤＬＰ（Digital Light Processing；テキサス・インスツルメンツ（TI）社の登録商標）方式のプロジェクタにおいても本願発明を適用することができる。
【図面の簡単な説明】
【００３３】
【図１】本願発明の投写型映像表示装置の一実施形態に係る液晶プロジェクタの要部構成を示すブロック図。
【図２】その主制御用マイコンとランプバラスト制御用マイコンの動作を示すフローチャート。
【符号の説明】
【００３４】
１  主制御用マイコン
２  ランプバラスト制御用マイコン
３  ランプバラスト
４  ランプ
５  昇圧回路
６，７  プルアップ抵抗
９  ＥＥＰＲＯＭ 
【図１】
2007248711.tif 000003
【図２】
2007248711.tif 000004